【手続補正書】
【提出日】平成30年3月8日(2018.3.8)
【手続補正１】
【補正対象書類名】特許請求の範囲
【補正対象項目名】全文
【補正方法】変更
【補正の内容】
【特許請求の範囲】
【請求項１】
原稿の画像を読み取って画像データを生成する読み取り手段と、
前記読み取り手段によって生成された画像データに対して、ジョブの設定情報に応じた画像処理を実行する画像処理手段と、
前記ジョブの設定に応じて求められる大きさの記憶領域を確保する確保手段と、
前記確保手段により確保された記憶領域に、前記画像処理手段による画像処理後の画像を記憶する記憶手段と、
前記記憶手段により、前記記憶領域に記憶された画像データを読み出して、当該画像データに基づいてシートに画像を印刷する印刷手段と、を有する印刷装置において、
前記確保手段により前記記憶領域が確保される前に、前記印刷手段により画像が印刷されるシートの搬送を開始する搬送手段と、
を有することを特徴とする印刷装置。
【請求項２】
前記確保手段は、前記読み取り手段によって原稿の画像を読み取る解像度、前記読み取り手段によって生成する画像データのカラーモード、前記読み取り手段によって画像を読み取る原稿のサイズ、又は、前記印刷手段によって印刷するシートのサイズに応じて求められる大きさの記憶領域を確保することを特徴とする請求項１に記載の印刷装置。
【請求項３】
前記搬送手段は、前記ジョブの設定情報が特定の条件に一致する場合、前記確保手段により記憶領域が前記記憶手段に確保される前に、前記印刷手段により画像が印刷されるシートの搬送を開始し、前記ジョブの設定情報が前記特定の条件に一致しない場合、前記確保手段により記憶領域が確保された後に、前記印刷手段により画像が印刷されるシートの搬送を開始することを特徴とする請求項１または２に記載の印刷装置。
【請求項４】
前記読み取り手段は、前記ジョブの設定情報が特定の条件に一致する場合、前記確保手段により記憶領域が前記記憶手段に確保される前に、原稿の画像の読み取りを開始し、前記ジョブの設定情報が前記特定の条件に一致しない場合、前記確保手段により記憶領域が確保された後に、前記読み取り手段により原稿の読み取りを開始することを特徴とする請求項３に記載の印刷装置。
【請求項５】
前記特定の条件とは、前記読み取り手段によって原稿の画像の読み取りを開始してから前記印刷手段によって前記画像データに基づいてシートに画像が印刷されるまでの時間を短縮するための条件であることを特徴とする請求項３又は４に記載の印刷装置。
【請求項６】
前記特定の条件とは、原稿のカラーモードがカラー、または、モノクロのいずれかに設定されていることを含むことを特徴とする請求項３乃至５のいずれか一項に記載の印刷装置。
【請求項７】
前記特定の条件とは、前記読み取り手段により原稿を読み取ることで生成された画像データに基づく等倍コピーの設定がなされていることを含むことを特徴とする請求項３乃至６のいずれか一項に記載の印刷装置。
【請求項８】
前記特定の条件とは、前記搬送手段により搬送される用紙の給紙元がユーザにより指定されていることを含むことを特徴とする請求項３乃至７のいずれか一項に記載の印刷装置。
【請求項９】
前記搬送手段による用紙の搬送を指示するコマンドを発行する制御手段をさらに有し、
前記制御手段は、前記確保手段により前記記憶領域が確保されるより前に、前記コマンドを発行することを特徴とする請求項１乃至８のいずれか一項に記載の印刷装置。
【請求項１０】
前記ジョブの設定情報は、前記読み取り手段により原稿を読み取ることで生成された画像データに基づいて、前記印刷手段が画像を印刷するコピージョブの設定情報であることを特徴とする請求項１乃至９のいずれか一項に記載の印刷装置。
【請求項１１】
原稿の画像を読み取って画像データを生成する読み取り手段と、
前記読み取り手段によって生成された画像データに対して、レジスタに設定された設定値に応じた画像処理を実行する画像処理手段と、
前記画像処理手段による処理後の画像データを記憶する記憶手段と、
前記記憶手段に記憶された画像データを読み出して、当該画像データに基づいてシートに画像を印刷する印刷手段と、を有する印刷装置において、
前記レジスタにジョブの設定情報に応じた設定値を設定する設定手段と、
前記設定手段によって前記レジスタに設定値が設定される前に、前記印刷手段により画像が印刷されるシートの搬送を開始する搬送手段と、を有することを特徴とする印刷装置。
【請求項１２】
前記搬送手段は、前記ジョブの設定情報が特定の条件に一致する場合、前記設定手段による設定より前に用紙の搬送を開始し、前記ジョブの設定情報が特定の条件に一致しない場合、前記設定手段により設定値の設定が完了した後、用紙の搬送を開始することを特徴とする請求項１１に記載の印刷装置。
【請求項１３】
前記設定手段により設定された設定値に基づいて生成される画像を記憶する領域を決定する決定手段をさらに有し、
前記搬送手段は前記決定手段により前記領域が決定される前に用紙の搬送を開始させることを特徴とする請求項１１または１２に記載の印刷装置。
【請求項１４】
前記搬送手段による用紙の搬送を指示するコマンドを発行する制御手段をさらに有し、
前記制御手段は、前記設定手段により設定値がレジスタに設定される前に前記コマンドを発行することを特徴とする請求項１１乃至１３のいずれか一項に記載の印刷装置。
【請求項１５】
前記特定の条件は、前記印刷手段による印刷のカラーモードがカラーまたはモノクロのいずれかに設定されていること、前記読み取り手段によって原稿を読み取ることで生成された画像データに基づいて等倍コピーをする設定がされていること、用紙の給紙元となる給紙段がユーザにより指定されていることの少なくとも一つが設定されていることを特徴とする請求項１１乃至１４のいずれか一項に記載の印刷装置。
【請求項１６】
前記ジョブの設定情報は、前記読み取り装置において原稿を読み取ることで生成された画像データに基づく画像を前記印刷装置により印刷するコピージョブの設定情報であることを特徴とする請求項１１乃至１５のいずれか一項に記載の印刷装置。
【請求項１７】
原稿の画像を読み取って画像データを生成する読み取り工程と、
前記読み取り工程において生成された画像データに対して、ジョブの設定情報に応じた画像処理を実行する画像処理工程と、
前記ジョブの設定情報に応じて求められるサイズの記憶領域を確保する確保工程と、
前記確保工程において確保された記憶領域に前記画像処理工程における画像処理後の画像データを記憶する記憶工程と、
前記記憶工程において記憶された画像データを読み出して、当該画像データに基づいてシートに画像を印刷する印刷工程と、を有する印刷装置の制御方法であって、
前記確保工程において前記記憶領域が確保される前に、前記印刷工程において画像が印刷される用紙の搬送を開始する搬送工程と、を有することを特徴とする印刷装置の制御方法。
【請求項１８】
原稿を読み取って画像データを生成する読み取り工程と、
前記読み取り工程において生成された画像データに対して、レジスタに設定された設定値に応じた画像処理を実行する画像処理工程と、
前記画像処理工程における画像処理後の画像を記憶する記憶工程と、
前記記憶工程において記憶された画像データに基づいて画像を用紙に印刷する印刷工程と、を有する印刷装置の制御方法において、
前記レジスタにジョブの設定に応じた設定値を設定する設定工程と、
前記設定工程において設定値がレジスタに設定される前に、前記印刷工程において画像が印刷される用紙の搬送を開始する搬送工程と、を有することを特徴とする印刷装置の制御方法。
【請求項１９】
請求項１７または請求項１８に記載の印刷装置の制御方法をコンピュータが実行するためのコンピュータプログラム。
【手続補正２】
【補正対象書類名】明細書
【補正対象項目名】０００６
【補正方法】変更
【補正の内容】
【０００６】
上記目的を達成するために本発明の一態様に係る印刷装置は以下のような構成を備える。即ち、原稿の画像を読み取って画像データを生成する読み取り手段と、前記読み取り手段によって生成された画像データに対して、ジョブの設定情報に応じた画像処理を実行する画像処理手段と、前記ジョブの設定に応じて求められる大きさの記憶領域を確保する確保手段と、前記確保手段により確保された記憶領域に、前記画像処理手段による画像処理後の画像を記憶する記憶手段と、前記記憶手段により、前記記憶領域に記憶された画像データを読み出して、当該画像データに基づいてシートに画像を印刷する印刷手段と、を有する印刷装置において、前記確保手段により前記記憶領域が確保される前に、前記印刷手段により画像が印刷されるシートの搬送を開始する搬送手段と、
を有することを特徴とする。